(57)【要約】【課題】ハンドルを後方に折り畳み自在に構成して、機体のメンテナンス性を向上させる。【解決手段】機体の左右両側部に、車輪を設けるための車軸を突設する一方、機体の後部に、斜め上方に突出する二股状のハンドルを、機体後部から延設したハンドルフレームの先端部に取り付け、地中に向けて出没自在に配置された抵抗棒と、を備え、機体の前部にエンジンオイルのドレン孔を前方に向けたエンジンを搭載した歩行型移動農機において、前記ハンドルを、ハンドルフレームの先端部を回動中心として下方に折り畳み自在に構成すると共に、ハンドルフレーム先端部のハンドルの回動中心位置を作業姿勢において側面視で、機体トップ高さよりも低く設定すると共に、ハンドルの回動範囲を前記作業姿勢からハンドルを下方に折り畳み回動させた格納姿勢において側面視で、ハンドルの先端が抵抗棒よりも前方で地面に接地し、格納姿勢で機体が前傾するように構成した。【選択図】      図１
2014082959.tif 000002
【特許請求の範囲】
【請求項１】
機体の左右両側部に、車輪を設けるための車軸を突設する一方、機体の後部に、斜め上方に突出する二股状のハンドルを、機体後部から延設したハンドルフレームの先端部に取り付け、地中に向けて出没自在に配置された抵抗棒と、を備え、機体の前部にエンジンオイルのドレン孔を前方に向けたエンジンを搭載した歩行型移動農機において、前記ハンドルを、ハンドルフレームの先端部を回動中心として下方に折り畳み自在に構成すると共に、ハンドルフレーム先端部のハンドルの回動中心位置を作業姿勢において側面視で、機体トップ高さよりも低く設定すると共に、ハンドルの回動範囲を前記作業姿勢からハンドルを下方に折り畳み回動させた格納姿勢において側面視で、ハンドルの先端が抵抗棒よりも前方で地面に接地し、格納姿勢で機体が前傾するように構成したことを特徴とする歩行型移動農機。
【発明の詳細な説明】
【技術分野】
【０００１】
本発明は、格納可能なハンドルを備える小型管理機等の歩行型移動農機の技術分野に属するものである。
【背景技術】
【０００２】
従来、一般に、小型管理機等の歩行型移動農機は、機体後部にハンドルを備えている。この種のハンドルは、機体後部から斜め上方に大きく延出し、機体収納時や機体運搬時に邪魔になることから、折り畳み自在に構成することが要求され、特に、自動車のトランク等の狭いスペースに載せて運搬する可能性がある小型管理機ではその要望が強い。（例えば、特許文献１参照）
【先行技術文献】
【特許文献】
【０００３】
【特許文献１】特開２００２−２２００７０号公報
【発明の概要】
【発明が解決しようとする課題】
【０００４】
しかしながら、上記従来のものでは、圃場での作業終了後における機体の前方に向いているエンジンオイルのドレン孔からエンジンオイルを抜く作業にあっては、作業姿勢を移動農機の構造上、機体を前傾にした状態で行うと、作業効率の面では良いものの、その場合、機体を前傾の状態で保持するには、ハンドルやエンジンを支えながらの作業となり、作業姿勢が中腰となり作業者へ苦痛を与えていた。
【０００５】
そこで本発明は、ハンドルの折り畳み機能を備えたものでありながら、作業者が中腰にならない楽な作業姿勢でエンジンオイルを抜くことを可能に構成し、作業者の作業効率の向上を図ることが可能な歩行型農作業機を提供することを目的とする。
【課題を解決するための手段】
【０００６】
本発明は、上記の如き実情に鑑みこれらの課題を解決することを目的として創作されたものであって、機体の左右両側部に、車輪を設けるための車軸を突設する一方、機体の後部に、斜め上方に突出する二股状のハンドルを、機体後部から延設したハンドルフレームの先端部に取り付け、地中に向けて出没自在に配置された抵抗棒と、を備え、機体の前部にエンジンオイルのドレン孔を前方に向けたエンジンを搭載した歩行型移動農機において、前記ハンドルを、ハンドルフレームの先端部を回動中心として下方に折り畳み自在に構成すると共に、ハンドルフレーム先端部のハンドルの回動中心位置を作業姿勢において側面視で、機体トップ高さよりも低く設定すると共に、ハンドルの回動範囲を前記作業姿勢からハンドルを下方に折り畳み回動させた格納姿勢において側面視で、ハンドルの先端が抵抗棒よりも前方で地面に接地し、格納姿勢で機体が前傾するように構成したことを特徴とする。
【発明の効果】
【０００７】
本発明によると、ハンドルの折り畳み機能を利用して機体をドレン孔が前下方を向いた前傾姿勢で保持出来ることで、機体が程良い前傾姿勢となり、作業後の機械のメンテナンスであるエンジンのオイルを抜くのに作業者が楽な作業姿勢ですることが可能となり、作業者の作業効率が向上した。
【図面の簡単な説明】
【０００８】
【図１】本発明の実施の形態に係る歩行型農作業機を示す側面図である。
【図２】ハンドルを下方に折り畳んだ状態を示す側面図である。
【図３】図１、図２を示した平面図である。
【発明を実施するための形態】
【０００９】
以下、本発明に係る実施の形態を図１乃至図３に沿って説明する。
【００１０】
次に、本発明の実施の形態の一つを図面に基づいて説明する。
図面において、１は歩行型管理機であって、該歩行型管理機１は、前低後高状に傾斜するミッションケース２と、該ミッションケース２の中間部に設けられるエンジンフレーム３とミッションケース２の後部に設けられるヒッチフレーム４と、ミッションケース２の上部に設けられるハンドルフレーム５とを備える。エンジンフレーム３上には、前方にエンジンオイルのドレン孔Ｄが設けられたエンジン６、燃料タンク７及びマフラ８が設けられており、エンジン６の出力は、ベルトカバー９内の伝動ベルト（図示せず）を介してミッションケース２の上部に入力される。
ヒッチフレーム４には、各種の作業機が装着可能であり、耕耘作業時には抵抗棒１０が装着される。抵抗棒１０は、ヒッチフレーム４から後方で途中から屈曲して下方に突出するように装着されており、耕耘作業時には、機体１の走行が適度に制動されるように耕耘土に干渉する一方、機体収納時には、機体１の転倒を規制するスタンドとして機能する。
【００１１】
ミッションケース２の下部には、左右両側方に突出する車軸１１が貫通状に組付けられている。車軸１１には、ミッションケース２の上部に入力されたエンジン動力が図示しない変速機構および伝動チェンを介して伝動され、車軸１１の先端部に装着される車輪（ロータディスク）１２が回転駆動される。さらに、車軸１１の中間部には、複数のロータリ爪１３が装着されており、該ロータリ爪１３は、車軸１１の回転駆動に伴って圃場を耕耘する。  
【００１２】
ハンドルフレーム５の先端部には、斜め上方に延出するハンドル１４が設けられている。ハンドル１４は、二股状（Ｕ字状）に形成されており、その左右先端部には、オペレータが握るためのグリップ１５が設けられている。ハンドル１４の先端左右幅（左右グリップ幅）は、エンジンフレーム３の左右幅よりも広く、かつ車輪１２の左右間隔よりも狭く設定されている。ハンドル１４の基端部は、ハンドルフレーム５の先端部に後方回動自在に支持されており、その回動範囲は、握り付きボルト１６によって規制される。握り付きボルト１６は、常時は締付け状態を維持し、ハンドル１４を所定の高さに固定している。握り付きボルト１６を緩めると、所定の範囲でハンドル１４の上下回動が許容され、オペレータの身長等に応じたハンドル１４の高さ調整が可能になる。そして、握り付きボルト１６を緩めたままの状態で、下方にハンドル１４を回動させることで最もコンパクトにハンドル１４を収納することが出来る。また、握り付きボルト１６を締め付けることで上記姿勢を保持することができる。尚、ハンドル１４の回動範囲は、図示しないものの、ハンドル１４とハンドルフレーム５の各々に設けられた菊座同士の噛み合いによって決定され、図２に示す状態が略最下端まで回動した状態である。
【００１３】
上記のように、ハンドル１４を下方に折畳み状に回動させた場合、ハンドル１４は、機体１の左右両側に沿うように格納される。このときハンドル１４の先端部のグリップ１５が、地面に接当して、抵抗棒１０が地面から浮いた状態となることで、歩行型管理機を転倒しない前傾姿勢とすることが可能となる。それにより、作業後のエンジン６のメンテナンス作業であるドレンＤからのエンジンオイルの排出をスムースに行うことが出来、オイルを残すことなく排出することが出来、作業性が向上するものである。
また、ハンドルの回動中心が低位置にあるので、格納姿勢がコンパクトになり、また、格納姿勢において、ハンドルの先端が従来よりも前方で接地するため、ハンドル１４自体を必要以上に長く構成することなく格納姿勢での前傾姿勢を維持することができる。
【符号の説明】
【００１４】
１ 歩行型管理機
２ ミッションケース
３ エンジンフレーム
４ ヒッチフレーム
５ ハンドルフレーム
６ エンジン
１０ 抵抗棒
１１ 車軸
１２ 車輪
１３ ロータリ爪
１４ ハンドル
１５ グリップ
【図１】
2014082959.tif 000003
【図２】
2014082959.tif 000004
【図３】
2014082959.tif 000005